(57)【要約】【課題】記録するデータのデータサイズが確定していない場合でもデータ記録領域を極力連続的に確保でき、記録媒体上のデータ分散によるアクセススピードの低下を防止する。【解決手段】ＭＰＥＧなどの動画記録再生データを保存する記録媒体１０の先頭に、その記録媒体の管理を行うための管理用データを保存するシステムで、その管理用データ内に記録媒体の各空き領域の先頭アドレスと連続する空き領域量をリスト形式で格納しておく。そして、データの記録を行うにあたっては、管理用データ内の各空き領域の先頭アドレスと空き領域量のリストを参照し、空き領域量と記録するデータ量とを比較し、データ量より大きい連続領域をもつ空き領域に優先的に記録を行う。これにより、データ領域を極力連続的に確保できるようにし、アクセススピードの低下を防止する。【選択図】        図１
2004171670.tif 000002
【特許請求の範囲】
【請求項１】
記録再生データを保存した記録媒体にアクセスし、前記記録再生データの記録または再生を行う記録再生手段と、
前記記録媒体に記録再生データを記録する際に前記記録媒体の空き領域を選択して記録動作を実行させる記録制御手段とを有し、
前記記録媒体には、記録再生データを格納する記録領域とともに、少なくとも当該記録媒体内の各空き領域のアドレスとサイズのリストを含む管理用データを格納する管理領域を設け、
前記記録制御手段は、前記管理領域に格納された管理用データを参照し、前記各空き領域のサイズと記録するデータ量とを比較し、データ量より大きいサイズをもつ空き領域に優先的に記録を行う、
ことを特徴とする記録再生装置。
【請求項２】
前記リストには、サイズの大きい空き領域の順に各空き領域のデータを配列して格納することを特徴とする請求項１記載の記録再生装置。
【請求項３】
前記記録制御手段は、記録するデータ量が前記リスト内の最大サイズよりも大きい場合に、複数の空き領域を用いて記録データを分割して記録することを特徴とする請求項１記載の記録再生装置。
【請求項４】
前記記録制御手段は、記録するデータ量が前記リスト内の最大サイズよりも大きい場合に、サイズが大きい順に複数の空き領域を選択し、記録データを分割して記録することを特徴とする請求項３記載の記録再生装置。
【請求項５】
前記記録制御手段は、前記記録媒体にデータを記録する毎に、その記録によって消滅または減少した空き領域のデータを前記リストから削除または修正することを特徴とする請求項１記載の記録再生装置。
【請求項６】
前記記録制御手段は、前記記録媒体のデータを消去する毎に、その消去によって発生した空き領域のデータを前記リストに追加することを特徴とする請求項１記載の記録再生装置。
【請求項７】
前記記録制御手段は、データを記録または消去する毎に、その記録または消去によって変動した後の空き領域の合計サイズを算出し、その算出結果によって前記記録媒体の管理データ内に設けられた合計サイズのデータを更新することを特徴とする請求項１記載の記録再生装置。
【請求項８】
前記記録再生データは所定の符号化によって圧縮された動画データであることを特徴とする請求項１記載の記録再生装置。
【請求項９】
前記所定の符号化がＭＰＥＧ符号化であることを特徴とする請求項８記載の記録再生装置。
【請求項１０】
記録再生データを保存する記録媒体に、記録再生データを格納する記録領域とともに、少なくとも当該記録媒体内の各空き領域のアドレスとサイズのリストを含む管理用データを格納する管理領域を設け、
前記記録媒体にデータを記録する際に、前記管理領域に格納された管理用データを参照し、前記各空き領域のサイズと記録するデータ量とを比較し、データ量より大きいサイズをもつ空き領域に優先的に記録を行う、
ことを特徴とする記録再生方法。
【請求項１１】
前記リストには、サイズの大きい空き領域の順に各空き領域のデータを配列して格納することを特徴とする請求項１０記載の記録再生方法。
【請求項１２】
記録するデータ量が前記リスト内の最大サイズよりも大きい場合に、複数の空き領域を用いて記録データを分割して記録することを特徴とする請求項１０記載の記録再生方法。
【請求項１３】
記録するデータ量が前記リスト内の最大サイズよりも大きい場合に、サイズが大きい順に複数の空き領域を選択し、記録データを分割して記録することを特徴とする請求項１２記載の記録再生方法。
【請求項１４】
前記記録媒体にデータを記録する毎に、その記録によって消滅または減少した空き領域のデータを前記リストから削除または修正することを特徴とする請求項１０記載の記録再生方法。
【請求項１５】
前記記録媒体のデータを消去する毎に、その消去によって発生した空き領域のデータを前記リストに追加することを特徴とする請求項１０記載の記録再生方法。
【請求項１６】
前記記録媒体に対してデータを記録または消去する毎に、その記録または消去によって変動した後の空き領域の合計サイズを算出し、その算出結果によって前記記録媒体の管理データ内に設けられた合計サイズのデータを更新することを特徴とする請求項１０記載の記録再生方法。
【請求項１７】
前記記録再生データは所定の符号化によって圧縮された動画データであることを特徴とする請求項１０記載の記録再生方法。
【請求項１８】
前記所定の符号化がＭＰＥＧ符号化であることを特徴とする請求項１７記載の記録再生方法。
【発明の詳細な説明】
【０００１】
【発明の属する技術分野】
本発明は、記録媒体に対して動画データの記録再生を行う記録再生装置及び記録再生方法に関する。
【０００２】
【従来の技術】
従来より、カムコーダに用いられる記録媒体としては磁気記録テープが主に用いられてきた。磁気記録テープは、ＨＤＤ（ハードディスクドライブ）やＤＶＤ（デジタルバーサタイルデスク）などの円盤状の記録媒体（ディスクメディア）と比較した場合、小型化を行う上では優位であるが、円盤状の記録媒体は巻き戻しや早送りをすることなく、直接記録媒体上の目標の記録位置にアクセスできるため、アクセス性の面では不利である。
また、ＭＰＥＧなどの動画圧縮技術によるデータ圧縮が進み、ＨＤＤなどは近年大容量化、小型化も進んでいる。そこで、ＨＤＤなどの円盤状の記録媒体をカムコーダにも応用することが求めらており、これによりランダムアクセス性、利便性を向上させることも可能になる。
【０００３】
一方、動画データの記録再生においては、ある程度安定した転送レートのデータを連続して記録再生する必要がある。しかしながら、ＨＤＤやＤＶＤなどのディスクメディアにおいては、フラグメント（断片化）が発生した場合など、アクセスする領域が分散しているときに、ヘッドのシークタイムが発生し、極端に転送レートが低下する問題がある。
そこで、このような問題を解決する手段として、書き込むファイルの属性によりストリームデータかコードデータかを判別し、それぞれ書き込み領域を変えて一定以上の入出力速度保証に必要な一定長の連続領域に対して書き込み行うようにして、転送レートの低下を回避することが提案されている（例えば、特許文献１参照）。
【０００４】
【特許文献１】
特開２０００−３３９２０２号公報
【０００５】
【発明が解決しようとする課題】
しかしながら、上記特許文献１に開示される従来技術において、動的に入出力速度が変化する場合に、一定長の連続領域に対して書き込み行う方法では、フラグメントによる入出力の速度が十分ではない場合があり、一定長の算出が困難であるという問題がある。
また、ファイル属性によりデータ領域を区分することは、外部のシステムによる書き込みが行われた場合に保証されないという問題がある。
【０００６】
そこで本発明の目的は、記録するデータのデータサイズが確定していない場合でもデータ記録領域を極力連続的に確保することができ、記録媒体上のデータ分散によるアクセススピードの低下を有効に防ぐことができる記録再生装置及び記録再生方法を提供することにある。
【０００７】
【課題を解決するための手段】
本発明は前記目的を達成するため、記録再生データを保存した記録媒体にアクセスし、前記記録再生データの記録または再生を行う記録再生手段と、前記記録媒体に記録再生データを記録する際に前記記録媒体の空き領域を選択して記録動作を実行させる記録制御手段とを有し、前記記録媒体には、記録再生データを格納する記録領域とともに、少なくとも当該記録媒体内の各空き領域のアドレスとサイズのリストを含む管理用データを格納する管理領域を設け、前記記録制御手段は、前記管理領域に格納された管理用データを参照し、前記各空き領域のサイズと記録するデータ量とを比較し、データ量より大きいサイズをもつ空き領域に優先的に記録を行うことを特徴とする。
【０００８】
また本発明は、記録再生データを保存する記録媒体に、記録再生データを格納する記録領域とともに、少なくとも当該記録媒体内の各空き領域のアドレスとサイズのリストを含む管理用データを格納する管理領域を設け、前記記録媒体にデータを記録する際に、前記管理領域に格納された管理用データを参照し、前記各空き領域のサイズと記録するデータ量とを比較し、データ量より大きいサイズをもつ空き領域に優先的に記録を行うことを特徴とする。
【０００９】
本発明の記録再生装置及び記録再生方法では、記録再生データを保存する記録媒体に当該記録媒体内の各空き領域のアドレスとサイズのリストを含む管理用データを設け、記録媒体にデータを記録する際に管理用データを参照し、各空き領域のサイズと記録するデータ量とを比較し、データ量より大きいサイズをもつ空き領域に優先的に記録を行うようにした。
したがって、記録するデータのデータサイズが確定していない場合でもデータ記録領域を極力連続的に確保することができ、記録媒体上のデータが分散することによるアクセススピードの低下を有効に防ぐことができる。
【００１０】
【発明の実施の形態】
以下、本発明による記録再生装置及び記録再生方法の実施の形態例について説明する。
本実施の形態例は、ＭＰＥＧなどの動画記録再生データを保存する記録媒体の先頭に、その記録媒体の管理を行うための管理用データを保存するシステムにおいて、管理用データ内に記録媒体の各空き領域のアドレスとサイズ（具体的には先頭アドレスと連続する空き領域量）をリスト形式で格納しておき、記録を行うにあたっては空き領域量と記録するデータ量とを比較し、データ量より大きい連続領域をもつ空き領域に優先的に記録を行うようにして、データ領域を極力連続的に確保できるようにしたものである。
なお、本実施の形態例では、管理用データ内の空き領域の先頭アドレスと連続する空き領域連続量のリストは、連続する空き領域連続量の大きい順にリストの先頭から並べて格納しておくものとする。
【００１１】
また、本実施の形態例では、記録するデータ量が連続する空き領域の最大サイズよりも大きい場合には、複数の空き領域を用いて記録データを分割して記録する。この際に用いる空き領域としては、例えば、空き領域のリストを順に検索していき、その検索順（すなわち、空き領域連続量の大きい空き領域から順）に複数の空き領域を選択して用いる。
また、本実施の形態例では、管理用データの更新処理として、記録媒体にデータを記録する毎に、その記録によって消滅または減少した空き領域のデータをリストから削除または修正し、また、記録媒体のデータを消去する毎に、その消去によって発生した空き領域のデータをリストに追加するような処理を行う。
さらに、本実施の形態例では、データを記録または消去する毎に、その記録または消去によって変動した後の空き領域の合計サイズを算出し、その算出結果によって記録媒体の管理データ内に設けられた合計サイズのデータを更新するような処理を行う。
【００１２】
以下、本実施の形態例による具体的な構成及び動作について図面を用いて説明する。
図１は本実施の形態例で用いる記録形式を示す説明図である。
図示のように、本例では、ディスク型記録媒体（以下、記録メディアまたはディスクという）上に、その記録メディアを管理するための情報を記載する領域（記録メディア管理情報領域１）を設ける。そして、この記録メディア管理情報領域１には、データが記録されていない空き領域を示した空き領域情報を記載する領域（空き領域情報２）を設ける。
【００１３】
この空き領域情報領域２には、空き領域の位置（アドレス）を示す空き領域先頭アドレス３と空き領域の連続量（サイズ）を示す空き領域連続量４を記載する。なお、不連続な空き領域が複数ある場合には、その不連続な空き領域のそれぞれに対して対応する空き領域先頭アドレスと空き領域連続量を記載する。
各空き領域情報は、空き領域連続量の大きい順に並べられ、空き領域の連続量が同一の値をとる空き領域に対しては空き領域先頭アドレスの順に並べる。また、この空き領域情報はディスクが認識された時点で作成される。
図中の「ディスク上の空き領域」はこれを模式的に示したものである。＃１の空き領域先頭アドレスと空き領域連続量はディスク上の空き領域＃１の値、＃２の空き領域先頭アドレスと空き領域連続量はディスク上の空き領域＃２の値というように、空き領域が不連続に存在した場合には空き領域が不連続になった数だけ空き領域先頭アドレスと空き領域連続量の組が存在する。
【００１４】
図２は、本実施の形態例によるディスク記録再生装置の構成を示すブロック図である。なお、本図では、主に記録系の構成を示しており、再生系としては別の構成を用いることになるが、本発明は主に記録時の動作に係るものであるので、再生系の詳細は省略する。
図示のように、このディスク記録再生装置は、ユーザインターフェイス部５、モードラッチ部６、データ量カウンタ部７、入力データバッファ部８、入力データ記録部９、空き領域情報再生部１１、空き領域先頭アドレスラッチ部１２、空き領域アドレス比較部１３、空き領域連続量ラッチ部１４、空き領域連続量比較部１５、データ量比較部１６、記録アドレス生成部１７、空き領域情報記録部１８等を有して構成されている。
以下、このような構成による動作について説明する。
【００１５】
ユーザインターフェイス部５は、ユーザが選択したモードをモード信号に変換し、モードラッチ部６に送信する。モードラッチ部６は、ユーザインターフェイス部５からのモード信号を逐次保持するものであり、入力データ記録部９からの送信要求に従って、その送信要求時点で保持しているモード信号を送信する。
また、ＭＰＥＧなどの動画データは入力データとして入力され、まず、データ量カウンタ部７を通過し、入力データバッファ部８に一旦保存される。入力データバッファ部８は、この入力データを入力データ記録部９に出力し、入力データ記録部９では、記録アドレス生成部１７より受信した記録アドレスにしたがって記録メディア１０に入力データを書き込む。ここで記録アドレスは、入力データ記録部９が入力データを記録する前に生成する。
【００１６】
空き領域情報再生部１１は記録メディア１０から空き領域情報内の空き領域先頭アドレスと空き領域連続量のリストを読み出す。
読み出したリストは空き領域先頭アドレスラッチ部１２と空き領域連続量ラッチ部１４に保持される。入力データを受信する際にデータ量カウンタ部７では受信した入力データ量をカウントし、最終値をデータ量比較部１６に送信する。
そして、データ量比較部１６がカウンタ値を受信すると、空き領域連続量比較部１５は、空き領域連続量ラッチ部１４から順に空き領域連続量を受信し、空き領域連続量を最大値から順にデータ量比較部１６に送信する。
データ量比較部１６は、データ量カウンタ部７から受信したカウンタ値と空き領域連続量ラッチ部１４から受信した空き領域連続量とを比較し、記録アドレス生成部１７に結果を送信する。
【００１７】
空き領域アドレス比較部１５は、空き領域連続量ラッチ部１４から空き領域連続量が読み出されるのと同じタイミングで、空き領域先頭アドレスラッチ部１２から空き領域アドレスを受信し、前回の記録アドレスとの比較結果を記録アドレス生成部１７に送信する。
記録アドレス生成部１７では、データ量比較部１６より受信したサイズ比較の結果と、空き領域先頭アドレス比較部１５より受信したアドレス比較の結果から記録アドレスを決定し、入力データ記録部９に送信する。
記録アドレス生成部１７ではモード遷移、書き込み終了等の空き領域情報更新のタイミングを入力データ記録部から受信すると空き領域情報記録部１８に空き領域情報を送信し、空き領域情報記録部１８は記録メディア１０に空き領域情報を記録する。
【００１８】
図３は、本実施の形態例におけるデータ記録に関するモードに遷移する際の処理例を示すフローチャートである。
ここで、データ記録を行うモードとしては、Ｒｅｃモード、コピーモード、編集モードの３種類があるものする。Ｒｅｃモードは、例えばカメラから撮像されたデータをＭＰＥＧエンコーダにより圧縮し、逐次記録を行う。また、コピーモードは、記録メディア上に記録されているデータを別の領域に複写する。また、編集モードは、記録メディア上のデータの部分選択と連結を行う。
【００１９】
図３において、まず、ユーザインターフェイス部５を介してユーザよりモードが指定され（Ｓ１９）、ユーザインターフェイス部５からモード信号を受信する。そして、このモード信号により指定されたモードがＲｅｃモードかそれ以外かを判別する（Ｓ２０）。ここで、Ｒｅｃモードであることを判別すると、サイズ不確定書き込み動作を行う（Ｓ２１）。
また、Ｒｅｃモード終了がユーザインターフェイス部５を介してユーザから指定されると、ユーザインターフェイス部５よりＲｅｃモード終了のモード信号が送信される。Ｒｅｃモード終了を受信すると、サイズ不確定書き込み動作を終了する（Ｓ２２）。
【００２０】
また、Ｓ２０の判別でＲｅｃモード以外のモードであると判別されると、コピーモードかそれ以外かを判別する（Ｓ２３）。コピーモードであった場合には、コピー元のデータ量を算出し（Ｓ２４）、サイズ確定書き込みを開始する（Ｓ２５）。そして、書き込み量が算出したデータ量に達したか否かを判別し（Ｓ２６）、達すると書き込みを終了する。
また、Ｓ２３の判別でコピーモード以外であると判別されると、編集モードかそれ以外かを判別する（Ｓ２７）。そして、編集モードであった場合には、ユーザインターフェイス部５よりモード信号以外にファイル連結情報を受信する。
【００２１】
図４は、ファイル連結情報に含まれる情報を示す説明図である。図示のように、このファイル連結情報はリスト形式になっており、識別情報、ファイル名、ファイルサイズ、読み出し開始アドレス、読み出し終了アドレスなどを含む。読み出し開始アドレスと読み出し終了アドレスはファイルのデータが含まれるデータ領域の任意のアドレスを示している。
そして、読み出し開始アドレスから読み出し終了アドレスまでのデータ量をリストにある全てのファイルに対して合計することで編集後に書き込みを行うデータのデータ量を算出する（Ｓ２８）。
そして、データ量の算出が終了すると、サイズ確定書き込みを行い（Ｓ２２）、書き込み量が算出したデータ量に達したか否かを判別し（Ｓ２６）、達すると書き込みを終了する。
【００２２】
図５は、本実施の形態例におけるサイズ確定書き込みの動作を示すフローチャートである。
まず、空き領域情報を読み出し（Ｓ２９）、空き領域連続量と書き込みデータ量を比較する（Ｓ３０）、比較する空き領域情報の先頭データ（ｉ＝０）にセットし（Ｓ３１）、空き領域連続量と書き込みデータ量の大小比較を行う（Ｓ３２）。
そして、空き領域連続量が書き込みデータ量より大きい場合は空き領域情報を順番に読み出し（ｉ←ｉ＋１）、繰り返し比較する。空き領域情報を全て読み出しても空き領域連続量が書き込みデータ量より大きいか（Ｓ３７）、もしくは空き領域連続量が書き込みデータ量より小さい場合には１つ手前の空き領域情報（ｉ−１）に対応する空き領域にデータを書き込む（Ｓ３８）。
データを書き込み終わると、空き領域情報を更新し（Ｓ３９）、処理を終了する。空き領域連続量が書き込みデータ量より小さく、さらに大きい空き領域を持っていない場合には（Ｓ３３）、空き領域連続量が最大の空き領域に対して書き込みを行う（Ｓ３４）。
そして、空き領域に対して書き込み終わると、元のデータ量から空き領域連続量を差し引いたものを新たなデータ量とし（Ｓ３５）、空き領域情報を更新した後（Ｓ３６）に再度書き込み処理を行い、書き込みデータが終了するまで繰り返す。
【００２３】
図６は、本実施の形態例におけるサイズ不確定書き込み動作を示すフローチャートである。なお、本例の動作はサイズ不確定の書き込みデータを固定データ量ごとに受信し、判定を行うことを前提としている。
まず、空き領域情報を読み出し（Ｓ４０）、空き領域連続量が最大のもの、つまり空き領域情報のリストの先頭にある空き領域の先頭アドレスを検出する（Ｓ４１）。
そして、書き込みデータがあることを確認し（Ｓ４２）、書き込みデータを受信し（Ｓ４３）、データ書き込みを行う（Ｓ４４）。そして、データを書き込み終わると、空き領域がまだあるかどうかを判別し（Ｓ４５）、なければ新たな空き領域を選択するために空き領域情報を更新し（Ｓ４６）、空き領域情報読み出しに戻り、書き込みを繰り返す。
また、書き込みデータが終了した場合には、最後に書き込んだデータ量を算出し（Ｓ４７）、データ量に適した空き領域が他に存在するかを空き領域情報から検索する。もし、存在すればデータを検出した空き領域に複写し、サイズ確定書き込みを行う（Ｓ４８）。サイズ確定書き込み終了後、複写元のデータを消去し（Ｓ４９）、書き込みを終了する。
【００２４】
図７は、上述したサイズ確定書き込み時のデータ例を示す説明図である。
ここで書き込むデータは１１１０のサイズを有するものとし、空き領域情報のリストは、図示のように、先頭アドレスと連続量を＠マークでつなげた形式となっている（なお、数値は１６進数とする）。
そして、データを書き込む際には、書き込むデータ量１１１０とリスト内の各空き領域のデータサイズとを先頭から比較していく。
図示の例では、書き込むデータ量は、
１２００＞１１１０＞１１００
の関係にあるので、この場合はデータ量より大きく一番近いサイズである空き領域「０ｘ００００１０００＠１２００」が選択される。
【００２５】
そして、このデータを書き込んだ後、空き領域情報を更新する。すなわち、空き領域「０ｘ００００１０００＠１２００」は今回の書き込みデータによって埋められているため、その残りの空き領域の先頭アドレスは、
０ｘ００００１０００＋０ｘ１１１０＝０ｘ００００２１１０
となり、その空き領域サイズは、
１２００−１１１０＝００ｆ０
となる。つまり、リストの更新によって追加される空き領域情報は、「０ｘ００００２１１０＠００ｆ０」である。
そこで、図７（Ａ）に示す元のリストの「０ｘ００００１０００＠１２００」を削除し、図７（Ｂ）に示すように、新たに「０ｘ００００２１１０＠００ｆ０」を追加する。この際、リストを空き領域連続量の順に改めて仕分けし、新たな空き領域情報を「０ｘ００００２１１０＠００ｆ０」を追加したリストを記録メディアに書き戻す。
以上のようにして、記録メディアへの記録によって消滅または減少した空き領域をリストから削除または修正し、記録メディアからのデータ消去によって発生した空き領域のデータをリストに追加し、さらに、記録や消去によって変動した後の空き領域の合計サイズを更新することにより、有効に空き領域リストを管理することにより、例えば記録メディアを交換する方式の記録再生装置である場合にも有効に対応できるものである。
【００２６】
以上のような本実施の形態例では次のような効果を得ることが可能である。
（１）データ領域を連続的にもてるようになるため、記録メディア上のデータが分散することによるアクセススピードの低下を防ぐことができる。
（２）データサイズが確定していない場合でもデータ領域を極力連続的に確保することでディスクの入出力スピードをアクセススピードの変動に対して対応させることが可能となり、スムーズな書き込み動作を実現できる。
なお、上述した実施の形態例の具体的手順はあくまでも本発明の一例であり、他の手順を取り得ることはもちろんである。また、扱うデータや符号化方式についても種々の拡張が可能である。
【００２７】
【発明の効果】
以上説明したように本発明の記録再生装置及び記録再生方法によれば、記録再生データを保存する記録媒体に当該記録媒体内の各空き領域のアドレスとサイズのリストを含む管理用データを設け、記録媒体にデータを記録する際に管理用データを参照し、各空き領域のサイズと記録するデータ量とを比較し、データ量より大きいサイズをもつ空き領域に優先的に記録を行うようにしたことから、記録するデータのデータサイズが確定していない場合でもデータ記録領域を極力連続的に確保することができ、記録媒体上のデータが分散することによるアクセススピードの低下を有効に防ぐことができる効果がある。
【図面の簡単な説明】
【図１】本発明の実施の形態例で用いる記録媒体のデータ記録形式を示す説明図である。
【図２】図１に示す記録媒体を用いるディスク記録再生装置の構成を示すブロック図である。
【図３】図２に示すディスク記録再生装置においてデータ記録に関するモードに遷移する際の処理例を示すフローチャートである。
【図４】図３に示す処理で用いるファイル連結情報に含まれる情報を示す説明図である。
【図５】図２に示すディスク記録再生装置におけるサイズ確定書き込みの動作を示すフローチャートである。
【図６】図２に示すディスク記録再生装置におけるサイズ不確定書き込み動作を示すフローチャートである。
【図７】図２に示すディスク記録再生装置におけるサイズ確定書き込み時のデータ例を示す説明図である。
【符号の説明】
１……記録メディア管理情報領域、２……空き領域情報、３……空き領域先頭アドレス、４……空き領域連続量、５……ユーザインターフェイス部、６……モードラッチ部、７……データ量カウンタ部、８……入力データバッファ部、９……入力データ記録部、１０……記録媒体、１１……空き領域情報再生部、１２……空き領域先頭アドレスラッチ部、１３……空き領域アドレス比較部、１４……空き領域連続量ラッチ部、１５……空き領域連続量比較部、１６……データ量比較部、１７……記録アドレス生成部、１８……空き領域情報記録部。
【図１】
2004171670.tif 000003
【図２】
2004171670.tif 000004
【図３】
2004171670.tif 000005
【図４】
2004171670.tif 000006
【図５】
2004171670.tif 000007
【図６】
2004171670.tif 000008
【図７】
2004171670.tif 000009